(57)【特許請求の範囲】
【請求項１】
端末が実行する検索結果取得方法において、
検索イベントをトリガしたと検出された場合、今回トリガした前記検索イベントと前回トリガした検索イベントとの間の時間間隔がプリセット時間を超えたか否かを判定するステップと、
今回トリガした前記検索イベントと前回トリガした検索イベントとの間の時間間隔がプリセット時間を超えていない場合、顔認識を行って現在のユーザの顔情報を取得するステップと、
前記検索イベントにおける検索されるコンテンツと前記顔情報とに基づいて、検索サーバに検索要求を送信するステップと、
前記検索サーバが前記検索されるコンテンツと前記顔情報とに基づいて検索して特定した前記ユーザに関する検索結果を受信するステップとを含むことを特徴とする検索結果取得方法。
【請求項２】
前記検索イベントにおける検索されるコンテンツと前記顔情報とに基づいて、検索サーバに検索要求を送信するステップは、
現在設定された、機器識別子、クラウドサービスのアカウント、アプリケーションアカウント、位置識別子およびネットワーク識別子のうちの１つ又は複数を含む検索範囲標識を取得するステップと、
前記検索イベントにおける検索されるコンテンツと、前記検索範囲標識と、前記顔情報とに基づいて、検索サーバに検索要求を送信するステップとを含むことを特徴とする請求項１に記載の検索結果取得方法。
【請求項３】
前記検索イベントにおける検索されるコンテンツと前記顔情報とに基づいて、検索サーバに検索要求を送信するステップの後に、
前記検索サーバから返送された前記ユーザに対応する検索履歴レコードを受信するステップと、
前記ユーザに対応する検索履歴レコードを検索入力ボックスに対応する表示リストに表示するステップとをさらに含むことを特徴とする請求項１または２に記載の検索結果取得方法。
【請求項４】
前記検索サーバから返送された前記ユーザに関する検索履歴レコードを受信するステップの後に、
前記ユーザに関連しない予め記憶された検索履歴レコードを非表示にするステップをさらに含むことを特徴とする請求項３に記載の検索結果取得方法。
【請求項５】
前記ユーザがログイン操作を行っていないと検出された場合、顔認識を行って前記ユーザの顔情報を取得するステップと、
前記顔情報に基づいて、前記検索サーバにログイン要求を送信するステップと、
前記検索サーバが前記顔情報に基づいて検証を行った後に、前記検索サーバから返送されたログイン応答を受信するステップとをさらに含むことを特徴とする請求項１または２に記載の検索結果取得方法。
【請求項６】
サーバが実行する検索結果取得方法において、
端末が送信した、少なくとも顔情報と検索されるコンテンツとを含む検索要求を受信するステップと、
前記顔情報が登録済みユーザに属するか否かを検証するステップと、
前記顔情報が登録済みユーザに属すると、前記登録済みユーザのパーソナライズ検索モードに基づいて、前記検索されるコンテンツを検索し、前記登録済みユーザに関する検索結果を特定するステップと、
前記登録済みユーザに関する検索結果を前記端末に送信するステップとを含み、
前記検索要求は、端末が検索イベントをトリガしたと検出された場合、今回トリガした前記検索イベントと前回トリガした検索イベントとの間の時間間隔がプリセット時間を超えたか否かを判定するステップと、今回トリガした前記検索イベントと前回トリガした検索イベントとの間の時間間隔がプリセット時間を超えていない場合、端末が顔認識を行って現在のユーザの顔情報を取得するステップと、を実施した後に、端末が送信した検索要求であることを特徴とする検索結果取得方法。
【請求項７】
前記検索要求には、機器識別子、クラウドサービスのアカウント、アプリケーションアカウント、位置識別子およびネットワーク識別子のうちの１つ又は複数を含む検索範囲標識がさらに含まれ、
相応的には、前記顔情報が登録済みユーザに属するか否かを検証するステップは、
前記検索範囲標識に関連付けられた登録済みユーザ情報を取得するステップと、
前記顔情報が前記検索範囲標識に関連付けられた登録済みユーザに属するか否かを検証するステップと、
前記顔情報が前記検索範囲標識に関連付けられた登録済みユーザに属すると、前記顔情報が登録済みユーザに属すると確定するステップとを含むことを特徴とする請求項６に記載の検索結果取得方法。
【請求項８】
前記顔情報が前記検索範囲標識に関連付けられた登録済みユーザに属するか否かを検証するステップの後に、
前記顔情報が前記検索範囲標識に関連付けられた登録済みユーザに属しないと、前記顔情報および前記検索範囲標識に基づいてユーザ・アカウントを作成するステップをさらに含むことを特徴とする請求項７に記載の検索結果取得方法。
【請求項９】
前記顔情報が登録済みユーザに属すると、前記登録済みユーザに対応する検索履歴レコードを前記端末に送信するステップを含むことを特徴とする請求項６または７に記載の検索結果取得方法。
【請求項１０】
前記端末が送信した、顔情報を携えたログイン要求を受信するステップと、
前記顔情報が登録済みユーザに属するか否かを検証するステップと、
前記顔情報が登録済みユーザに属すると、前記端末にログイン応答を送信するステップとを含むことを特徴とする請求項６または７に記載の検索結果取得方法。
【請求項１１】
端末が検索イベントをトリガしたと検出された場合、顔認識を行って現在のユーザの顔情報を取得するための第１の取得モジュールと、
前記検索イベントにおける検索されるコンテンツと前記顔情報とに基づいて、検索サーバに検索要求を送信するための第１の送信モジュールと、
前記検索サーバが前記検索されるコンテンツと前記顔情報とに基づいて検索して特定した前記ユーザに関する検索結果を受信するための第１の受信モジュールとを備え、
前記第１の取得モジュールは、
今回トリガした前記検索イベントと前回トリガした検索イベントとの間の時間間隔がプリセット時間を超えたか否かを判定するための判定サブモジュールと、
今回トリガした前記検索イベントと前回トリガした検索イベントとの間の時間間隔がプリセット時間を超えていない場合、顔認識を行って現在のユーザの顔情報を取得するための第１の取得サブモジュールとを備えることを特徴とする検索結果取得装置。
【請求項１２】
前記第１の送信モジュールは、
現在設定された、機器識別子、クラウドサービスのアカウント、アプリケーションアカウント、位置識別子およびネットワーク識別子のうちの１つ又は複数を含む検索範囲標識を取得するための第２の取得サブモジュールと、
前記検索範囲標識、前記顔情報および前記検索イベントにおける検索されるコンテンツに基づいて、検索サーバに検索要求を送信するための送信サブモジュールとを備えることを特徴とする請求項１１に記載の検索結果取得装置。
【請求項１３】
前記検索サーバから戻った前記ユーザに対応する検索履歴レコードを受信するための第２の受信モジュールと、
前記ユーザに対応する検索履歴レコードを検索入力ボックスに対応する表示リストに表示するための表示モジュールとをさらに備えることを特徴とする請求項１１または１２に記載の検索結果取得装置。
【請求項１４】
前記ユーザに関連しない予め記憶された検索履歴レコードを非表示にするための非表示操作モジュールをさらに備えることを特徴とする請求項１３に記載の検索結果取得装置。
【請求項１５】
前記ユーザがログイン操作を行っていないと検出された場合、顔認識を行って前記ユーザの顔情報を取得するための第２の取得モジュールと、
前記顔情報に基づいて、前記検索サーバにログイン要求を送信するための第２の送信モジュールと、
前記検索サーバが前記顔情報に基づいて検証を行った後に、前記検索サーバから返送されたログイン応答を受信するための第３の受信モジュールとをさらに備えることを特徴とする請求項１１または１２に記載の検索結果取得装置。
【請求項１６】
端末が送信した、少なくとも顔情報と検索されるコンテンツとを含む検索要求を受信するための第４の受信モジュールと、
前記顔情報が登録済みユーザに属するか否かを検証するための第１の検証モジュールと、
前記顔情報が登録済みユーザに属すると、前記登録済みユーザのパーソナライズ検索モードに基づいて、前記検索されるコンテンツを検索し、前記登録済みユーザに関する検索結果を特定するための検索モジュールと、
前記登録済みユーザに関する検索結果を前記端末に送信するための第３の送信モジュールとを備え、
前記検索要求は、端末が検索イベントをトリガしたと検出された場合、今回トリガした前記検索イベントと前回トリガした検索イベントとの間の時間間隔がプリセット時間を超えたか否かを判定するステップと、今回トリガした前記検索イベントと前回トリガした検索イベントとの間の時間間隔がプリセット時間を超えていない場合、端末が顔認識を行って現在のユーザの顔情報を取得するステップと、を実施した後に、端末が送信した検索要求であることを特徴とする検索結果取得装置。
【請求項１７】
前記検索要求には、機器識別子、クラウドサービスのアカウント、アプリケーションアカウント、位置識別子およびネットワーク識別子のうちの１つ又は複数を含む検索範囲標識がさらに含まれ、
相応的には、前記第１の検証モジュールは、
前記検索範囲標識に関連付けられた登録済みユーザ情報を取得するための第３の取得サブモジュールと、
前記顔情報が前記検索範囲標識に関連付けられた登録済みユーザに属するか否かを検証するための検証サブモジュールと、
前記顔情報が前記検索範囲標識に関連付けられた登録済みユーザに属すると、前記顔情報が登録済みユーザに属すると確定するための確定サブモジュールとを備えることを特徴とする請求項１６に記載の検索結果取得装置。
【請求項１８】
前記顔情報が前記検索範囲標識に関連付けられた登録済みユーザに属しないと、前記顔情報および前記検索範囲標識に基づいてユーザ・アカウントを作成するためのアカウント作成モジュールをさらに備えることを特徴とする請求項１７に記載の検索結果取得装置。
【請求項１９】
前記顔情報が登録済みユーザに属すると、前記登録済みユーザに対応する検索履歴レコードを前記端末に送信するための第４の送信モジュールをさらに備えることを特徴とする請求項１６または１７に記載の検索結果取得装置。
【請求項２０】
前記端末が送信した、顔情報を携えたログイン要求を受信するための第５の受信モジュールと、
前記顔情報が登録済みユーザに属するか否かを検証するための第２の検証モジュールと、
前記顔情報が登録済みユーザに属すると、前記端末にログイン応答を送信するための第５の送信モジュールとをさらに備えることを特徴とする請求項１６または１７に記載の検索結果取得装置。
【請求項２１】
プロセッサと、
プロセッサの実行可能な指令を記憶するためのメモリとを備え、
前記プロセッサは、
端末が検索イベントをトリガしたと検出された場合、今回トリガした前記検索イベントと前回トリガした検索イベントとの間の時間間隔がプリセット時間を超えたか否かを判定し、
今回トリガした前記検索イベントと前回トリガした検索イベントとの間の時間間隔がプリセット時間を超えていない場合、顔認識を行って現在のユーザの顔情報を取得し、
前記検索イベントにおける検索されるコンテンツと前記顔情報とに基づいて、検索サーバに検索要求を送信し、
前記検索サーバが前記検索されるコンテンツと前記顔情報とに基づいて検索して特定した前記ユーザに関する検索結果を受信するように構成されることを特徴とする検索結果取得装置。
【請求項２２】
プロセッサと、
プロセッサの実行可能な指令を記憶するためのメモリとを備え、
前記プロセッサは、
端末が送信した、少なくとも顔情報と検索されるコンテンツ戸を含む検索要求を受信し、
前記顔情報が登録済みユーザに属するか否かを検証し、
前記顔情報が登録済みユーザに属すると、前記登録済みユーザのパーソナライズ検索モードに基づいて、前記検索されるコンテンツを検索し、前記登録済みユーザに関する検索結果を特定し、
前記登録済みユーザに関する検索結果を前記端末に送信するように構成され、
前記検索要求は、端末が検索イベントをトリガしたと検出された場合、今回トリガした前記検索イベントと前回トリガした検索イベントとの間の時間間隔がプリセット時間を超えたか否かを判定するステップと、今回トリガした前記検索イベントと前回トリガした検索イベントとの間の時間間隔がプリセット時間を超えていない場合、端末が顔認識を行って現在のユーザの顔情報を取得するステップと、を実施した後に、端末が送信した検索要求であることを特徴とする検索結果取得装置。
【発明の詳細な説明】
【技術分野】
【０００１】
本発明は、インターネット技術分野に関し、特に、検索結果取得方法及び装置に関する。
【背景技術】
【０００２】
インターネット技術の発展につれて、検索機能は、ユーザがインターネットにアクセスする時に使用頻度が最高である機能の１つとなる。
【０００３】
検索エンジンサイトは、現在でパーソナライズド検索機能を提供することができ、つまり、ユーザのブラウジング習慣および検索習慣に基づいて、ユーザ・プリファレンスに合わせた検索結果を選択してユーザに提供することができる。しかし、この機能は、ユーザが予め検索エンジンサイトにおいてアカウントログインを行わないと、提供され得ない。現在で検索エンジンサイトにおいてアカウントログインを行う方法としては、一般的には、検索エンジンサイトのアプリケーションを起動し、または、検索エンジンサイトのウェブページを開き、ログイン操作を選択した後に、予め登録されたアカウント名およびパスワードを入力し、検索エンジンサイトにより検証され、そのログインが許可されると、ログイン操作が終了する方法がある。ログインした後に、検索エンジンサイトは、ユーザのパーソナライズド検索機能を実現できる。
【発明の概要】
【０００４】
関連の技術課題を解決するために、本発明は、検索結果取得方法及び装置を提供する。
【０００５】
本発明の第１の態様による検索結果取得方法は、端末が検索イベントをトリガしたと検出された場合、顔認識を行って現在のユーザの顔情報を取得するステップと、前記検索イベントにおける検索されるコンテンツと前記顔情報とに基づいて、検索サーバに検索要求を送信するステップと、前記検索サーバが前記検索されるコンテンツと前記顔情報とに基づいて検索して特定した前記ユーザに関する検索結果を受信するステップとを含む。
【０００６】
前記顔認識を行って現在のユーザの顔情報を取得するステップは、今回トリガした前記検索イベントと前回トリガした検索イベントとの間の時間間隔がプリセット時間を超えたか否かを判定するステップと、今回トリガした前記検索イベントと前回トリガした検索イベントとの間の時間間隔がプリセット時間を超えていない場合、顔認識を行って現在のユーザの顔情報を取得するステップとを含むことが好ましい。
【０００７】
前記検索イベントにおける検索されるコンテンツと前記顔情報とに基づいて、検索サーバに検索要求を送信するステップは、現在設定された、機器識別子、クラウドサービスのアカウント、アプリケーションアカウント、位置識別子およびネットワーク識別子のうちの１つ又は複数を含む検索範囲標識を取得するステップと、前記検索イベントにおける検索されるコンテンツと、前記検索範囲標識と、前記顔情報とに基づいて、検索サーバに検索要求を送信するステップとを含むことが好ましい。
【０００８】
前記検索イベントにおける検索されるコンテンツと前記顔情報とに基づいて、検索サーバに検索要求を送信するステップの後に、前記検索サーバから返送された前記ユーザに対応する検索履歴レコードを受信するステップと、前記ユーザに対応する検索履歴レコードを検索入力ボックスに対応する表示リストに表示するステップとをさらに含むことが好ましい。
【０００９】
前記検索サーバから返送された前記ユーザに関する検索履歴レコードを受信するステップの後に、前記ユーザに関連しない予め記憶された検索履歴レコードを非表示にするステップをさらに含むことが好ましい。
【００１０】
前記ユーザがログイン操作を行っていないと検出された場合、顔認識を行って前記ユーザの顔情報を取得するステップと、前記顔情報に基づいて、前記検索サーバにログイン要求を送信するステップと、前記検索サーバが前記顔情報に基づいて検証を行った後に、前記検索サーバから返送されたログイン応答を受信するステップとをさらに含むことが好ましい。
【００１１】
本発明の第２の態様による検索結果取得方法は、端末が送信した、少なくとも顔情報と検索されるコンテンツとを含む検索要求を受信するステップと、前記顔情報が登録済みユーザに属するか否かを検証するステップと、前記顔情報が登録済みユーザに属すると、前記登録済みユーザのパーソナライズ検索モードに基づいて、前記検索されるコンテンツを検索し、前記登録済みユーザに関する検索結果を特定するステップと、前記登録済みユーザに関する検索結果を前記端末に送信するステップとを含む。
【００１２】
前記検索要求には、機器識別子、クラウドサービスのアカウント、アプリケーションアカウント、位置識別子およびネットワーク識別子のうちの１つ又は複数を含む検索範囲標識がさらに含まれ、相応的には、前記顔情報が登録済みユーザに属するか否かを検証するステップは、前記検索範囲標識に関連付けられた登録済みユーザ情報を取得するステップと、前記顔情報が前記検索範囲標識に関連付けられた登録済みユーザに属するか否かを検証するステップと、前記顔情報が前記検索範囲標識に関連付けられた登録済みユーザに属すると、前記顔情報が登録済みユーザに属すると確定するステップとを含むことが好ましい。
【００１３】
前記顔情報が前記検索範囲標識に関連付けられた登録済みユーザに属するか否かを検証するステップの後に、前記顔情報が前記検索範囲標識に関連付けられた登録済みユーザに属しないと、前記顔情報および前記検索範囲標識に基づいてユーザ・アカウントを作成するステップをさらに含むことが好ましい。
【００１４】
前記顔情報が登録済みユーザに属すると、前記登録済みユーザに対応する検索履歴レコードを前記端末に送信するステップを含むことが好ましい。
【００１５】
前記端末が送信した、顔情報を携えたログイン要求を受信するステップと、前記顔情報が登録済みユーザに属するか否かを検証するステップと、前記顔情報が登録済みユーザに属すると、前記端末にログイン応答を送信するステップとを含むことが好ましい。
【００１６】
本発明の第３の態様による検索結果取得装置は、端末が検索イベントをトリガしたと検出された場合、顔認識を行って現在のユーザの顔情報を取得するための第１の取得モジュールと、前記検索イベントにおける検索されるコンテンツと前記顔情報とに基づいて、検索サーバに検索要求を送信するための第１の送信モジュールと、前記検索サーバが前記検索されるコンテンツと前記顔情報とに基づいて検索して特定した前記ユーザに関する検索結果を受信するための第１の受信モジュールとを備える。
【００１７】
前記第１の取得モジュールは、今回トリガした前記検索イベントと前回トリガした検索イベントとの間の時間間隔がプリセット時間を超えたか否かを判定するための判定サブモジュールと、今回トリガした前記検索イベントと前回トリガした検索イベントとの間の時間間隔がプリセット時間を超えていない場合、顔認識を行って現在のユーザの顔情報を取得するための第１の取得サブモジュールとを備えることが好ましい。
【００１８】
前記第１の送信モジュールは、現在設定された、機器識別子、クラウドサービスのアカウント、アプリケーションアカウント、位置識別子およびネットワーク識別子のうちの１つ又は複数を含む検索範囲標識を取得するための第２の取得サブモジュールと、前記検索範囲標識、前記顔情報および前記検索イベントにおける検索されるコンテンツに基づいて、検索サーバに検索要求を送信するための送信サブモジュールとを備えることが好ましい。
【００１９】
前記検索サーバから戻った前記ユーザに対応する検索履歴レコードを受信するための第２の受信モジュールと、前記ユーザに対応する検索履歴レコードを検索入力ボックスに対応する表示リストに表示するための表示モジュールとをさらに備えることが好ましい。
【００２０】
前記ユーザに関連しない予め記憶された検索履歴レコードを非表示にするための非表示操作モジュールをさらに備えることが好ましい。
【００２１】
前記ユーザがログイン操作を行っていないと検出された場合、顔認識を行って前記ユーザの顔情報を取得するための第２の取得モジュールと、前記顔情報に基づいて、前記検索サーバにログイン要求を送信するための第２の送信モジュールと、前記検索サーバが前記顔情報に基づいて検証を行った後に、前記検索サーバから返送されたログイン応答を受信するための第３の受信モジュールとをさらに備えることが好ましい。
【００２２】
本発明の第４の態様による検索結果取得装置は、端末が送信した、少なくとも顔情報と検索されるコンテンツとを含む検索要求を受信するための第４の受信モジュールと、前記顔情報が登録済みユーザに属するか否かを検証するための第１の検証モジュールと、前記顔情報が登録済みユーザに属すると、前記登録済みユーザのパーソナライズ検索モードに基づいて、前記検索されるコンテンツを検索し、前記登録済みユーザに関する検索結果を特定するための検索モジュールと、前記登録済みユーザに関する検索結果を前記端末に送信するための第３の送信モジュールとを備える。
【００２３】
前記検索要求には、機器識別子、クラウドサービスのアカウント、アプリケーションアカウント、位置識別子およびネットワーク識別子のうちの１つ又は複数を含む検索範囲標識がさらに含まれ、相応的には、第１の検証モジュールは、前記検索範囲標識に関連付けられた登録済みユーザ情報を取得するための第３の取得サブモジュールと、前記顔情報が前記検索範囲標識に関連付けられた登録済みユーザに属するか否かを検証するための検証サブモジュールと、前記顔情報が前記検索範囲標識に関連付けられた登録済みユーザに属すると、前記顔情報が登録済みユーザに属すると確定するための確定サブモジュールとを備えることが好ましい。
【００２４】
前記顔情報が前記検索範囲標識に関連付けられた登録済みユーザに属しないと、前記顔情報および前記検索範囲標識に基づいてユーザ・アカウントを作成するためのアカウント作成モジュールをさらに備えることが好ましい。
【００２５】
前記顔情報が登録済みユーザに属すると、前記登録済みユーザに対応する検索履歴レコードを前記端末に送信するための第４の送信モジュールをさらに備えることが好ましい。
【００２６】
前記端末が送信した、顔情報を携えたログイン要求を受信するための第５の受信モジュールと、前記顔情報が登録済みユーザに属するか否かを検証するための第２の検証モジュールと、前記顔情報が登録済みユーザに属すると、前記端末にログイン応答を送信するための第５の送信モジュールとをさらに備えることが好ましい。
【００２７】
本発明の第５の態様による検索結果取得装置は、プロセッサと、プロセッサの実行可能な指令を記憶するためのメモリとを備え、前記プロセッサは、端末が検索イベントをトリガしたと検出された場合、顔認識を行って現在のユーザの顔情報を取得し、前記検索イベントにおける検索されるコンテンツと前記顔情報とに基づいて、検索サーバに検索要求を送信し、前記検索サーバが前記検索されるコンテンツと前記顔情報とに基づいて検索して特定した前記ユーザに関する検索結果を受信するように構成される。
【００２８】
本発明の第６の態様による検索結果取得装置は、プロセッサと、プロセッサの実行可能な指令を記憶するためのメモリとを備え、前記プロセッサは、端末が送信した、少なくとも顔情報と検索されるコンテンツとを含む検索要求を受信し、前記顔情報が登録済みユーザに属するか否かを検証し、前記顔情報が登録済みユーザに属すると、前記登録済みユーザのパーソナライズ検索モードに基づいて前記検索されるコンテンツを検索し、前記登録済みユーザに関する検索結果を特定し、前記登録済みユーザに関する検索結果を前記端末に送信するように構成される。
【発明の効果】
【００２９】
本発明の実施例によれば、端末が検索イベントをトリガした時に、顔情報および検索されるコンテンツを検索サーバに登録及び検索するように送信し、最終的に検索サーバが顔情報および前記検索されるコンテンツに基づいて特定したユーザに関する検索結果を受信する。これによって、検索中の登録効率が向上し、検索結果の正確性が向上し、人間・コンピュータのインタラクションも向上するという有益な効果を達成できる。
【図面の簡単な説明】
【００３０】
ここの図面は、明細書に合わせられて本明細書の一部となり、本発明に合わせた実施例も示し、明細書と共に本発明の原理を説明する。
【図１】１つの例示的な実施例における検索結果取得方法を示すフローチャート。
【図２】１つの例示的な実施例における検索結果取得方法を示すフローチャート。
【図３】１つの例示的な実施例における検索結果取得方法を示すフローチャート。
【図４】１つの例示的な実施例における検索結果取得方法を示すフローチャート。
【図５】１つの例示的な実施例における検索結果取得方法を示すフローチャート。
【図６】１つの例示的な実施例における検索結果取得装置を示すブロック図。
【図７】１つの例示的な実施例における検索結果取得装置における第１の取得モジュールを示すブロック図。
【図８】１つの例示的な実施例における検索結果取得装置における第１の送信モジュールを示すブロック図。
【図９】１つの例示的な実施例における検索結果取得装置を示すブロック図。
【図１０】１つの例示的な実施例における検索結果取得装置における第１の検証モジュールを示すブロック図。
【図１１】１つの例示的な実施例における検索結果取得装置を示すブロック図（移動端末の一般的な構造）。
【図１２】１つの例示的な実施例における検索結果取得装置を示すブロック図（サーバの一般的な構造）。
【発明を実施するための形態】
【００３１】
本発明の目的、技術案および利点が明瞭になるために、図面を組み合わせて本発明の実施の形態をさらに詳しく説明する。
【００３２】
本発明のある例示的な実施例は、端末に適用される検索結果取得方法を提供し、図１を参照して、当該方法は、下記のステップを含む。
【００３３】
ステップ１０１において、端末が検索イベントをトリガしたと検出された場合、顔認識を行って現在のユーザの顔情報を取得する。
【００３４】
ステップ１０２において、検索イベントにおける検索されるコンテンツと顔情報とに基づいて、検索サーバに検索要求を送信する。
【００３５】
ステップ１０３において、検索サーバが検索されるコンテンツと顔情報とに基づいて検索して特定したユーザに関する検索結果を受信する。
【００３６】
本発明の実施例は、端末が検索イベントをトリガした時に、顔情報および検索されるコンテンツを検索サーバに登録及び検索するように送信し、最終的に検索サーバが顔情報および前記検索されるコンテンツに基づいて特定したユーザに関する検索結果を受信する。これによって、検索中の登録効率が向上し、検索結果の正確性が向上し、人間・コンピュータのインタラクションも向上する。
【００３７】
本発明の別の例示的な実施例は、サーバに適用される検索結果取得方法を提供し、図２を参照して、当該方法は、下記のステップを含む。
【００３８】
ステップ２０１において、端末が送信した、少なくとも顔情報と検索されるコンテンツとを含む検索要求を受信する。
【００３９】
ステップ２０２において、顔情報が登録済みユーザに属するか否かを検証する。
【００４０】
ステップ２０３において、顔情報が登録済みユーザに属すると、登録済みユーザのパーソナライズ検索モードに基づいて、検索されるコンテンツを検索し、登録済みユーザに関する検索結果を特定する。
【００４１】
ステップ２０４において、登録済みユーザに関する検索結果を端末に送信する。
【００４２】
本発明の実施例は、端末によって送信された顔情報および検索されるコンテンツを受信し、顔情報に基づいて登録済みユーザであるか否かを検証し、最終的に特定した登録済みユーザに基づいて登録済みユーザに関する検索結果を特定する。これによって、検索中の登録効率が向上し、検索結果の正確性が向上し、人間・コンピュータのインタラクションも向上する。
【００４３】
本発明の別の例示的な実施例は検索結果取得方法を提供し、図３を参照して、当該方法は、下記のステップを含む。
【００４４】
ステップ３０１において、端末が検索イベントをトリガしたと検出された場合、顔認識を行って現在のユーザの顔情報を取得する。
【００４５】
ユーザはブラウザを起動し検索エンジンサイトを開いたときに、ユーザは、検索イベントをトリガするように端末を操作することができ、または、ユーザは検索エンジンサイトのアプリケーションを起動したときに、ユーザは、検索イベントをトリガするように端末を操作することができる。
【００４６】
イベントのトリガは、ユーザが検索エンジンＷｅｂページまたは検索エンジンサイトのアプリケーションにおいて検索されるコンテンツを提出した後に、検索などの確認ボタンをクリックすると、検索イベントをトリガするものである。検索イベントは、ユーザが入力ボックスに入力した検索されるコンテンツを含み、当該検索コンテンツが、文字、オーディオ・ビデオファイル、ピクチャーなどを含むことができるが、これに限定されるものではない。
【００４７】
さらに、顔情報を取得する方式としては、検索イベントをトリガしたと検出された後に、端末のカメラをオンにして顔認識を行い、現在端末を利用しているユーザの顔情報を取得するものである。
【００４８】
ユーザは、端末を手で持ち操作するので、正常には、ユーザは、端末のスクリーンに対向し、これによって、端末のフロントカメラをオンして顔認識を行い、顔情報を取得するように設定する。
【００４９】
ユーザは、検索エンジンＷｅｂページまたは検索エンジンサイトのアプリケーションの利用中に複数の検索を行う可能性があるため、はじめに顔情報を送信した後に、端末は、登録プロセスを完了する。このような場合には、所定の時間内に端末を利用して検索操作を行うのは、その同一のユーザであると考えられ、さらに、検索要求の送信する際に顔情報を送る必要がないようにすることが好ましい。顔情報の送信の判定根拠としては、プリセット時間を設定することができ、今回トリガした検索イベントと前回トリガした検索イベントとの間の時間間隔と当該プリセット時間とを比較することにより、ステップ３０を実行するか否かを特定する。
【００５０】
相応的には、ステップ３０１は、下記のステップにより実現できる。
【００５１】
ステップ３０１１において、端末が検索イベントをトリガしたと検出された場合に、今回トリガした検索イベントと前回トリガした検索イベントとの間の時間間隔がプリセット時間を超えたか否かを判定し、
ステップ３０１２において、今回トリガした検索イベントと前回トリガした検索イベントとの間の時間間隔がプリセット時間を超えていない場合、顔認識を行って現在のユーザの顔情報を取得する。
【００５２】
ステップ３０２において、検索イベントにおける検索されるコンテンツと顔情報とに基づいて、検索サーバに検索要求を送信する。
【００５３】
検索要求には顔情報および検索されるコンテンツが携えられている。
【００５４】
顔情報のデータサイズは大きいので、顔認識の精度は、現時点で非常に正確にマッチングすることができる程度には至っていない。従って、本発明の実施例において、所定の検索範囲に基づいた顔認識検証方式を採用することが好ましい。
【００５５】
相応的には、検索サーバが顔情報の検索範囲を特定するように、検索要求には予め設定された検索範囲標識をつけることができる。
【００５６】
検索範囲標識は、機器識別子、クラウドサービスのアカウント、アプリケーションアカウント、位置識別子およびネットワーク識別子のうちの１つ又は複数を含む。
【００５７】
検索サーバには、各タイプの検索範囲標識に関連付けられたユーザ・アカウントの対応関係が予め設定されており、これらの対応関係は、ユーザがアカウントを登録する時にユーザにより必要に応じて自発的に設定され、または検索サーバによりユーザが登録する時に報告した検索範囲標識に応じて設定されたものである。
【００５８】
各検索範囲標識に基づいて設定可能な検索範囲は、機器識別子と、クラウドサービスのアカウントと、アプリケーションアカウントと、位置識別子と、ネットワーク識別子とを含む。
【００５９】
機器識別子は、機器を単位として検索し、つまり、検索要求における顔情報を、機器に対応する１つまたは複数のユーザの顔情報とマッチングすることにより、登録済みユーザであるか否かを特定するのに使用され、
クラウドサービスのアカウントは、１つまたは複数の機器が共用するクラウドサービスのアカウントを単位として検索し、つまり、検索要求における顔情報を、クラウドサービスのアカウントに対応する１つまたは複数のユーザの顔情報とマッチングすることにより、登録済みユーザであるか否かを特定するのに使用され、
アプリケーションアカウントは、アプリケーションプログラムのアカウントを単位として検索し、つまり、検索要求における顔情報を、あるアプリケーションのアカウントに対応する１つまたは複数のユーザの顔情報とマッチングすることにより、登録済みユーザであるか否かを特定するのに使用され、
位置識別子は、位置情報を単位として検索し、つまり、検索要求における顔情報を、所定の位置範囲に対応する１つまたは複数のユーザの顔情報とマッチングすることにより、登録済みユーザであるか否かを特定するのに使用され、
ネットワーク識別子は、ルータなどのネットワーク機器を単位として検索し、つまり、検索要求における顔情報を、所定の位置範囲内のルータなどのネットワーク機器を介してネットワークアクセスを行う１つまたは複数のユーザの顔情報とマッチングすることにより、登録済みユーザであるか否かを特定するのに使用される。
【００６０】
１つまたは複数の検索範囲標識を設定して、共同して顔情報の検索範囲を特定することができることが好ましい。
【００６１】
相応的には、ステップ３０２は下記のステップにより実現できる。
【００６２】
ステップ３０２１において、現在設定された、機器識別子、クラウドサービスのアカウント、アプリケーションアカウント、位置識別子およびネットワーク識別子のうちの１つ又は複数を含む検索範囲標識を取得し、
ステップ３０２２において、検索イベントにおける検索されるコンテンツと、検索範囲標識と、顔情報とに基づいて、検索サーバに検索要求を送信する。
【００６３】
相応的には、検索要求には、検索範囲標識、顔情報および検索されるコンテンツを含める必要がある。
【００６４】
ステップ３０３において、検索サーバは、端末により送信された、少なくとも顔情報と検索されるコンテンツとを含む検索要求を受信する。
【００６５】
検索要求には、機器識別子、クラウドサービスのアカウント、アプリケーションアカウント、位置識別子およびネットワーク識別子のうちの１つ又は複数を含む検索範囲標識がさらに含まれることが好ましい。
【００６６】
ステップ３０４において、顔情報が登録済みユーザに属するか否かを検証する。
【００６７】
検索要求に検索範囲標識が携えられた場合、ステップ３０４は下記のステップにより実現できる。
【００６８】
ステップ３０４１において、検索範囲標識に関連付けられた登録済みユーザ情報を取得する。
【００６９】
検索サーバは、ユーザの顔情報、パーソナライズ検索モード、検索履歴レコードなどを含む登録済みユーザの各関連情報を記憶することができる。
【００７０】
検索範囲標識により顔情報とマッチングする範囲を相当絞り込むことができる。例えば、検索範囲標識が機器識別子である場合、機器識別子に基づいて、当該機器識別子に関連付けられた登録済みユーザを検索し、通常には、１つの機器を利用するユーザの数が多くないため、顔情報とマッチングする算出量が小さくなる。
【００７１】
ステップ３０４２において、顔情報が検索範囲標識に関連付けられた登録済みユーザに属するか否かを検証する。
【００７２】
ステップ３０４３において、顔情報が検索範囲標識に関連付けられた登録済みユーザに属すると、顔情報が登録済みユーザに属すると確定する。
【００７３】
ステップ３０４４において、顔情報が検索範囲標識に関連付けられた登録済みユーザに属しないと、顔情報および検索範囲標識に基づいてユーザ・アカウントを作成する。
【００７４】
ユーザ・アカウントを作成した後に、ユーザ・アカウントの作成が成功した旨や、現在アカウントの検索範囲標識をユーザに提示するように、アカウント作成の応答情報を端末に送信することができる。
【００７５】
ステップ３０５において、顔情報が登録済みユーザに属すると、登録済みユーザのパーソナライズ検索モードに基づいて検索されるコンテンツを検索し、登録済みユーザに関する検索結果を特定する。
【００７６】
登録済みユーザのパーソナライズ検索モードに基づいた方式は、検索サーバが検索されるコンテンツに基づいて検索した検索結果と当該登録済みユーザのパーソナライズ検索モードとをマッチングすることにより、トップクラスの所定数の検索結果を選択する。
【００７７】
ステップ３０６において、登録済みユーザに関する検索結果を端末に送信する。
【００７８】
ステップ３０７において、端末は、検索サーバが顔情報及び検索されるコンテンツに基づいて検索して特定したユーザに関する検索結果を受信する。
【００７９】
本発明の実施例は、端末が検索イベントをトリガした時に、顔および検索されるコンテンツを検索サーバに登録および検索するように送信し、検索サーバは、端末により送信された顔情報および検索されるコンテンツを受信し、顔情報に基づいて登録済みユーザであるか否かを検証し、最終的に特定した登録済みユーザに基づいて登録済みユーザに関する検索結果を特定し、最終的に、端末は、検索サーバが顔情報および検索されるコンテンツに基づいて特定したユーザに関する検索結果を受信する。これによって、検索中の登録効率が向上し、検索結果の正確性が向上し、人間・コンピュータのインタラクションも向上する。
【００８０】
本発明の別の例示的な実施例は検索結果取得方法を提供し、図４を参照して、当該方法は、下記のステップを含む。
【００８１】
ステップ４０１において、端末が検索イベントをトリガしたと検出された場合、顔認識を行って現在のユーザの顔情報を取得する。
【００８２】
ステップ４０２において、検索イベントにおける検索されるコンテンツと顔情報とに基づいて、検索サーバに検索要求を送信する。
【００８３】
ステップ４０３において、検索サーバは、端末が送信した、少なくとも顔情報と検索されるコンテンツとを含む検索要求を受信する。
【００８４】
ステップ４０４において、顔情報が登録済みユーザに属するか否かを検証する。
【００８５】
ステップ４０５において、顔情報が登録済みユーザに属すると、登録済みユーザに対応する検索履歴レコードを端末に送信する。
【００８６】
検索サーバは、ユーザの顔情報、パーソナライズ検索モード、検索履歴レコードなどを含む登録済みユーザの各関連情報を記憶する。
【００８７】
各登録済みユーザがそのアカウントをログインした後に、検索サーバは、各登録済みユーザによって送信された検索されるコンテンツを記憶し、最終的に各登録済みユーザの検索履歴レコードを生成する。
【００８８】
ステップ４０６において、端末は、検索サーバから返送された、ユーザに対応する検索履歴レコードを受信する。
【００８９】
ステップ４０７において、ユーザに対応する検索履歴レコードを検索入力ボックスに対応する表示リストに表示する。
【００９０】
検索エンジンＷｅｂページまたは検索エンジンサイトのアプリケーションにおける検索入力ボックスにおいて、検索エンジンサーバから返送された検索履歴レコードを表示するための自動的に開くドロップダウンリストが設けられる。
【００９１】
ステップ４０８において、ユーザに関連しない予め記憶された検索履歴レコードを非表示にする。
【００９２】
ユーザに関連しない予め記憶された検索履歴レコードは、端末ブラウザまたは検索エンジンサイトのアプリケーションに記憶された、ユーザが入力または提出した検索されるコンテンツである。
【００９３】
これらのユーザに関連しない検索履歴レコードをシールドすることにより、その他のユーザの検索プライバシの漏れを避けることができる。
【００９４】
本発明の実施例は、端末が顔情報により検索サーバにアクセスした後に、ユーザに属する検索履歴レコードを端末に返送されて表示され、一方で、当該ユーザに属しない検索履歴レコードを非表示にする。これによって、ユーザの検索効率が向上し、他のユーザの検索レコードの漏れも避けることができる。
【００９５】
本発明の別の例示的な実施例は検索結果取得方法を提供し、図５を参照して、当該方法は、下記のステップを含む。
【００９６】
ステップ５０１において、ユーザがログイン操作を行っていないと検出された場合、顔認識を行い、ユーザの顔情報を取得する。
【００９７】
本発明の実施例において、ユーザが検索エンジンＷｅｂページまたは検索エンジンサイトのアプリケーションを利用する時に、ログイン操作を行っていないと検出されたと、顔情報のログイン操作を行うようにユーザに提示することができる。
【００９８】
ダイアログをポップアップすることにより、ログイン操作を行うか否かをユーザに提示することができ、ユーザが確認ボタンをクリックすると、当該ステップにおける顔認識を行いユーザの顔情報を取得する操作ステップを実行する。
【００９９】
ステップ５０２において、顔情報に基づいて、前記検索サーバにログイン要求を送信する。
【０１００】
本発明の実施例において、前記検索範囲標識を取得するステップを実行し、検索サーバにおいて相応のマッチングプロセスを実行することもできる。相応的には、ログイン要求には検索範囲標識が携えられる。
【０１０１】
ステップ５０３において、検索サーバは、端末によって送信された顔情報を携えたログイン要求を受信する。
【０１０２】
ステップ５０４において、顔情報が登録済みユーザに属するか否かを検証する。
【０１０３】
ステップ５０５において、顔情報が登録済みユーザに属すると、端末にログイン応答を送信する。
【０１０４】
ステップ５０６において、端末は、検索サーバが顔情報に基づいて検証を行った後に、検索サーバから返送されたログイン応答を受信する。
【０１０５】
ログインされた後に、端末によって再送信された検索要求には、顔情報をつける必要がなく、検索サーバは、当該端末のログイン状況に基づいて、パーソナライズ検索サービスを行う。
【０１０６】
本発明の実施例は、ユーザがログインしていないと検出された時に、顔情報によりログイン操作を自動的に行い、これによって、手動的なログイン操作の煩雑さを避け、人間・コンピュータのインタラクションも向上する。
【０１０７】
前記例示的な実施例において提供された検索結果取得方法に対応して、本発明の別の例示的な実施例は、端末に適用される検索結果取得装置を提供し、図６を参照して、当該装置は、端末が検索イベントをトリガしたと検出された場合、顔認識を行って現在のユーザの顔情報を取得するための第１の取得モジュール６０１と、検索イベントにおける検索されるコンテンツと顔情報とに基づいて、検索サーバに検索要求を送信するための第１の送信モジュール６０２と、検索サーバが顔情報および検索されるコンテンツに基づいて検索して特定した前記ユーザに関する検索結果を受信するための第１の受信モジュール６０３とを備える。
【０１０８】
図７に示されたように、第１の取得モジュール６０１は、今回トリガした検索イベントと前回トリガした検索イベントとの間の時間間隔がプリセット時間を超えたか否かを判定するための判定サブモジュール６０１１と、今回トリガした検索イベントと前回トリガした検索イベントとの間の時間間隔がプリセット時間を超えていない場合、顔認識を行って現在のユーザの顔情報を取得するための第１の取得サブモジュール６０１２とを備える。
【０１０９】
図８に示されたように、第１の送信モジュール６０２は、現在設定された、機器識別子、クラウドサービスのアカウント、アプリケーションアカウント、位置識別子およびネットワーク識別子のうちの１つ又は複数を含む検索範囲標識を取得するための第２の取得サブモジュール６０２１と、検索イベントにおける検索されるコンテンツと、検索範囲標識と、顔情報とに基づいて、検索サーバに検索要求を送信するための送信サブモジュール６０２２とを備える。
【０１１０】
当該装置は、検索サーバから返送された、ユーザに対応する検索履歴レコードを受信するための第２の受信モジュール６０４と、ユーザに対応する検索履歴レコードを検索入力ボックスに対応する表示リストに表示するための表示モジュール６０５とをさらに備える。
【０１１１】
当該装置は、前記ユーザに関連しない予め記憶された検索履歴レコードを非表示にするための非表示操作モジュール６０６をさらに備える。
【０１１２】
当該装置は、ユーザがログイン操作を行っていないと検出された場合、顔認識を行って前記ユーザの顔情報を取得するための第２の取得モジュール６０７と、顔情報に基づいて、検索サーバにログイン要求を送信するための第２の送信モジュール６０８と、検索サーバが顔情報に基づいて検証を行った後に、検索サーバから返送されたログイン応答を受信するための第３の受信モジュール６０９とをさらに備える。
【０１１３】
本発明の実施例は、端末が検索イベントをトリガした時に、顔情報および検索されるコンテンツを検索サーバに登録及び検索するように送信し、最終的に検索サーバが顔情報および前記検索されるコンテンツに基づいて特定したユーザに関する検索結果を受信する。これによって、検索中の登録効率が向上し、検索結果の正確性が向上し、人間・コンピュータのインタラクションも向上する。
【０１１４】
前記例示的な実施例において提供された検索結果取得方法に対応して、本発明の別の例示的な実施例は、サーバに適用される検索結果取得装置を提供し、図９を参照して、当該装置は、端末が送信した、少なくとも顔情報と検索されるコンテンツとを含む検索要求を受信するための第４の受信モジュール９０１と、顔情報が登録済みユーザに属するか否かを検証するための第１の検証モジュール９０２と、顔情報が登録済みユーザに属すると、登録済みユーザのパーソナライズ検索モードに基づいて検索されるコンテンツを検索し、登録済みユーザに関する検索結果を特定するための検索モジュール９０３と、登録済みユーザに関する検索結果を端末に送信するための第３の送信モジュール９０４とを備える。
【０１１５】
検索要求には、機器識別子、クラウドサービスのアカウント、アプリケーションアカウント、位置識別子およびネットワーク識別子のうちの１つ又は複数を含む検索範囲標識がさらに含まれる。
【０１１６】
相応的には、図１０に示されたように、第１の検証モジュール９０２は、検索範囲標識に関連付けられた登録済みユーザ情報を取得するための第３の取得サブモジュール９０２１と、顔情報が検索範囲標識に関連付けられた登録済みユーザに属するか否かを検証するための検証サブモジュール９０２２と、顔情報が前記検索範囲標識に関連付けられた登録済みユーザに属すると、顔情報が登録済みユーザに属すると確定するための確定サブモジュール９０２３とを備える。
【０１１７】
当該装置は、顔情報が検索範囲標識に関連付けられた登録済みユーザに属しないと、顔情報および検索範囲標識に基づいてユーザ・アカウントを作成するためのアカウント作成モジュール９０５をさらに備える。
【０１１８】
当該装置は、顔情報が登録済みユーザに属すると、登録済みユーザに対応する検索履歴レコードを端末に送信するための第４の送信モジュール９０６をさらに備える。
【０１１９】
当該装置は、端末が送信した、顔情報を携えたログイン要求を受信するための第５の受信モジュール９０７と、顔情報が登録済みユーザに属するか否かを検証するための第２の検証モジュール９０８と、顔情報が登録済みユーザに属すると、端末にログイン応答を送信するための第５の送信モジュール９０９とをさらに備える。
【０１２０】
本発明の実施例は、端末によって送信された顔情報および検索されるコンテンツを受信し、顔情報に基づいて登録済みユーザであるか否かを検証し、最終的に特定した登録済みユーザに基づいて登録済みユーザに関する検索結果を特定する。これによって、検索中の登録効率が向上し、検索結果の正確性が向上し、人間・コンピュータのインタラクションも向上する。
【０１２１】
前記例示的な実施例において提供された検索結果取得装置に対応して、本発明の別の例示的な実施例は、端末１１００を提供し、図１０を参照する。端末１１００が携帯電話、コンピュータ、デジタル放送端末、メッセージ受送信装置、ゲームコンソール、タブレットデバイス、医療装置、フィットネス装置、パーソナル・デジタル・アシスタント、端末であってもよい。端末１１００が、スマートルータ、インテリジェント空気清浄機、インテリジェント浄水器、スマートカメラであってもよいことが好ましい。
【０１２２】
図１１を参照して、端末１１００は、処理部材１１０２、メモリ１１０４、電力部材１１０６、マルチメディア部材１１０８、音声部材１１１０、入力/出力（Ｉ/Ｏ）インターフェイス１１１２、センサ部材１１１４および通信部材１１１６のうちの１つ又は複数を含むことができる。
【０１２３】
処理部１１０２は、一般的には、端末１１００の例えば、表示、電話呼び、データ通信、カメラ操作および記録操作に関連付けられた全体操作を制御する。処理部１１０２は、前記方法の全部または一部のステップを完成するように、指令を実行する１つまたは複数のプロセッサ１１２０を含むことができる。または、処理部１１０２は、それと他の部材との間のコミュニケーションを便利に処理するために、１つまたは複数のモジュールを含んでもよい。例えば、処理部１１０２は、マルチメディア部材１１０８と処理部１１０２との間のコミュニケーションを容易に処理するために、マルチメディアモジュールを含んでもよい。
【０１２４】
メモリ１１０４は、端末１１００における操作を支持するように、各タイプのデータを記憶するように構成される。これらのデータの例としては、端末１１００において操作するための如何なるアプリケーションまたは方法の指令、連絡先データ、電話帳データ、メッセージ、写真、ビデオなどを含む。メモリ１１０４は、任意のタイプの揮発性メモリまたは不揮発性メモリまたはそれらの組合せ、例えば、スタティック・ランダム・アクセス・メモリ（ＳＲＡＭ）、電気的に消去可能なプログラマブル読み出し専用メモリ（ＥＥＰＲＯＭ）、消去可能プログラマブルリードオンリーメモリ（ＥＰＲＯＭ）、プログラム可能な読み出し専用メモリ（ＰＲＯＭ）、読み出し専用メモリ（ＲＯＭ）、磁気メモリ、フラッシュメモリ、磁気ディスクまたは光ディスクにより実現できる。
【０１２５】
電力部材１１０６は、端末１１００の各部材に電力を供給する。電力部材１１０６は、電源管理システム、１つまたは複数の電源および端末１１００に電力を生成、管理、割り当てることに関するそのほかの部材を含んでもよい。
【０１２６】
マルチメディア部材１１０８は、前記端末１１００とユーザとの間に出力インタフェースを提供するスクリーンである。ある実施例において、スクリーンは、ＬＣＤディスプレイ（ＬＣＤ）およびタッチパネル（ＴＰ）を含んでもよい。スクリーンはタッチパネルを含むと、ユーザからの入力信号を受信するように、スクリーンがタッチスクリーンに実現されることができる。タッチパネルは、タッチ、スライドおよびタッチパネル上のジェスチャーを検知するように、１つまたは複数のタッチセンサを含む。前記タッチセンサは、タッチまたはスライド動作の境界を検知するだけでなく、前記タッチまたはスライド操作に関する継続時間及び圧力も検知する。ある実施例において、マルチメディア部材１１０８は、フロントカメラおよび/またはリアカメラを含む。端末１１００が操作モード、例えば、撮像モードまたはビデオモードにある場合、フロントカメラおよび/またはリアカメラは、外部からのマルチメディアデータを受信することができる。各フロントカメラおよびリアカメラは、固定の光学レンズ系であってもよいし、焦点距離および光学ズーム機能を有してもよい。
【０１２７】
音声部材１１１０は、音声信号を出力および/または入力するように構成される。例えば、音声部材１１１０はマイク（ＭＩＣ）を含み、端末１１００が、操作モード、例えば、呼びモード、記録モードおよび音声識別モードにある場合、マイクは、外部音声信号を受信するように構成される。受信された音声信号は、メモリ１１０４にさらに記憶され、または、通信部材１１１６を介して送信されもよい。ある実施例において、音声部材１１１０は、音声信号を出力するためのスピーカーをさらに含む。
【０１２８】
（Ｉ/Ｏ）インターフェイス１１１２は、処理部１１０２とペリフェラル・インタフェースとの間にインターフェイスを提供し、前記ペリフェラル・インタフェースがキーボード、クリックホイール、ボタンなどであってもよい。これらのボタンは、ホームボタン、ボリュームボタン、スタートボタンおよびロックボタンを含むが、これに限定されるものではない。
【０１２９】
センサ部材１１１４は、端末１１００に各方面の状態評価を提供するための１つまたは複数のセンサを含む。例えば、センサ部材１１１４は、端末１１００のオン/オフ状態、部材の相対的な位置決め、例えば、前記部材が端末１１００のモニタおよびキーパッドであることを検出することができる。センサ部材１１１４は、端末１１００または端末１１００の１つの部材の位置の変化、ユーザと端末１１００との接触が存在するか否か、端末１１００の方位または加速/減速および端末１１００の温度変化を検出することもできる。センサ部材１１１４は、如何なる物理的な接触がないときに近傍物体の存在を検出するように構成される近接センサを含んでもよい。センサ部材１１１４は、例えば、撮像アプリケーションに使用されたＣＭＯＳまたはＣＣＤ画像センサを含んでもよい。ある実施例において、当該センサ部材１１１４は、加速度センサ、ジャイロセンサ、磁気センサ、圧力センサまたは温度センサを含んでもよい。
【０１３０】
通信部材１１１６は、端末１１００とその他の機器との間に有線または無線通信を便利に行うように構成される。端末１１００が、通信規格に基づく無線ネットワーク、例えば、ＷｉＦｉ、２Ｇまたは３Ｇ、それらの組合せにアクセスすることができる。ある例示的な実施例において、通信部材１１１６は、放送チャネルを介して外部放送管理システムからの放送信号または放送関連情報を受信することができる。ある例示的な実施例において、近距離通信を促進するように、前記通信部材１１１６は近距離通信（ＮＦＣ）モジュールを含む。例えば、ＮＦＣモジュールにおいて、無線周波数識別（ＲＦＩＤ）技術、赤外線データ協会（ＩｒＤＡ）技術、ウルトラワイドバンド（ＵＷＢ）技術、ブルートゥース（ＢＴ）技術およびその他の技術により実現できる。
【０１３１】
例示的な実施例において、端末１１００は、前記方法を実現するように、１つまたは複数の特定用途向け集積回路（ＡＳＩＣ）、デジタルシグナルプロセッサ（ＤＳＰ）、デジタル信号処理装置（ＤＳＰＤ）、ＰＬＤ製品（ＰＬＤ）、フィールド・プログラマブル・ゲート・アレイ（ＦＰＧＡ）、コントローラ、マイクロコントローラ、マイクロプロセッサまたはそのほかの電子部品により実現できる。
【０１３２】
例示的な実施例において、前記方法を完成するように端末１１００のプロセッサ１１２０によって実行される指令を含む非一時的なコンピュータ読み取り可能な記憶媒体、例えば、指令を含むメモリ１１０４を提供する。例えば、非一時的なコンピュータ読み取り可能な記憶媒体は、ＲＯＭ、ランダム・アクセス・メモリ（ＲＡＭ）、ＣＤ-ＲＯＭ、磁気テープ、フレキシブルディスクおよび光データ保存装置などであってもよい。
【０１３３】
本発明の実施例は、端末が検索イベントをトリガした時に、顔情報および検索されるコンテンツを検索サーバに登録及び検索するように送信し、最終的に検索サーバが顔情報および検索されるコンテンツに基づいて特定したユーザに関する検索結果を受信する。これによって、検索中の登録効率が向上し、検索結果の正確性が向上し、人間・コンピュータのインタラクションも向上する。
【０１３４】
図１２は、１つの例示的な実施例に基づいて示された検索結果を取得するための装置１２００のブロック図である。例えば、装置１２００は、サーバとして提供されることができる。図１２を参照して、装置１２００は処理部材１２２２を含み、１つ又は複数のプロセッサと、処理部材１２２２の実行可能な指令を記憶するためのメモリ１２３２に代表されるメモリリソース、例えば、アプリケーションとをさらに含む。メモリ１２３２に記憶されたアプリケーションは、１つ以上の１組の指令に対応する各モジュールを含んでもよい。また、処理部材１２２２は、前記検索結果取得方法を実行するように、指令を実行するように構成される。
【０１３５】
装置１２００は、装置１２００の電源管理を実行するように構成される電源部材１２２６と、装置１２００をネットワークに接続するように構成される有線または無線ネットワークインターフェイス１２５０と、入力/出力（Ｉ/Ｏ）のインターフェイス１２５８を含んでもよい。装置１２００は、メモリ１２３２に記憶した操作システム、例えば、Ｗｉｎｄｏｗｓ ＳｅｒｖｅｒＴＭ，Ｍａｃ ＯＳ ＸＴＭ，ＵｎｉｘＴＭ, ＬｉｎｕｘＴＭ，ＦｒｅｅＢＳＤＴＭまたは類似的なシステムを操作することができる。
【０１３６】
本発明の実施例は、端末が検索イベントをトリガした時に、顔情報および検索されるコンテンツを検索サーバに登録及び検索するように送信し、最終的に検索サーバが顔情報および検索されるコンテンツに基づいて特定したユーザに関する検索結果を受信する。これによって、検索中の登録効率が向上し、検索結果の正確性が向上し、人間・コンピュータのインタラクションも向上する。
【０１３７】
当業者は、明細書を考慮し、およびここに公開された発明を実践した後に、本発明のその他の実施案を容易に想到できる。本出願は、本発明の如何なる変形、用途または適切な変化を含み、これらの変形、用途または適切な変は、本発明の一般的な原理に従い、本発明に公開されていない当業界の公知常識または汎用の技術手段を含む。明細書および実施例は、単なる例示と見なされ、本発明の正確な範囲および思想は、後述する請求項により表される。
【０１３８】
本発明は、上述した図面に示された正確な構造に限定されるものではなく、その要旨を逸脱しない範囲で修正及び変化も可能であることは理解されるべきである。本発明の範囲は、添付する特許請求の範囲のみによって限定される。
【０１３９】
本出願は、出願番号が２０１５１０３７３３３２.９であり、出願日が２０１５年０６月３０日である中国特許出願を優先権主張の基礎として出願するものであり、ここに、当該中国特許出願の全部内容は、参照として本出願に引用される。
【図１】
0006275828.tif 000002
【図２】
0006275828.tif 000003
【図３】
0006275828.tif 000004
【図４】
0006275828.tif 000005
【図５】
0006275828.tif 000006
【図６】
0006275828.tif 000007
【図７】
0006275828.tif 000008
【図８】
0006275828.tif 000009
【図９】
0006275828.tif 000010
【図１０】
0006275828.tif 000011
【図１１】
0006275828.tif 000012
【図１２】
0006275828.tif 000013